(57)【要約】【課題】視覚障害者誘導用ブロックの上にマットを敷いて使用する形態において、見栄えを向上させることができるマットを提供する。【解決手段】マット２０は、平板状のブロック本体１１の表面に複数の突起１２を有する点字ブロック１０（視覚障害者誘導用ブロック）の上に敷いて使用され、マット本体２１の表面に繊維層２２が形成されている。マット本体２１は、複数の貫通穴２３が突起１２と対応する位置に形成され、繊維層２２は、貫通穴２３の縁２３Ａから間隔Ｒをあけてマット本体２１の表面を露出させるように形成されている。【選択図】図２
2010172648.tif 000002
【特許請求の範囲】
【請求項１】
平板状のブロック本体の表面に複数の突起を有する視覚障害者誘導用ブロックの上に敷いて使用され、マット本体の表面に繊維層が形成されたマットであって、
前記マット本体は、複数の貫通穴が前記突起と対応する位置に形成され、
前記繊維層は、前記貫通穴の縁から所定の範囲で前記マット本体の表面を露出させるように形成されていることを特徴とするマット。
【請求項２】
前記所定の範囲は、前記貫通穴の縁から２〜５ｍｍであることを特徴とする請求項１に記載のマット。
【請求項３】
請求項１に記載のマットの製造方法であって、
前記マット本体の表面の一部が露出するように複数の点状部分または複数の線状部分を開口させた形状に前記繊維層を形成し、前記開口に対応した前記マット本体の露出部分に前記開口の縁から所定の間隔を開けて前記貫通穴を形成することを特徴とするマットの製造方法。
【請求項４】
平板状のブロック本体の表面に複数の突起を有し、請求項１または請求項２に記載のマットを上に敷いて使用する視覚障害者誘導用ブロックであって、
前記突起は、前記マットが敷かれた状態において、前記貫通穴に嵌る突起下部と、当該突起下部からオーバーハングし、前記マット本体の露出部分に掛かる突起上部とを有することを特徴とする視覚障害者誘導用ブロック。
【請求項５】
平板状のブロック本体の表面に複数の突起を有する視覚障害者誘導用ブロックと、
当該視覚障害者誘導用ブロックの上に敷かれた請求項１または請求項２に記載のマットとを備えるマット構造体であって、
前記突起は、前記マットが敷かれた状態において、前記貫通穴に嵌る突起下部と、当該突起下部からオーバーハングし、前記マット本体の露出部分に掛かる突起上部とを有し、
前記マット本体の露出部分が前記突起上部に引っかかるように構成されたことを特徴とするマット構造体。
【発明の詳細な説明】
【技術分野】
【０００１】
本発明は、マットおよびその製造方法、視覚障害者誘導用ブロック並びにマット構造体に関する。
【背景技術】
【０００２】
近年のバリアフリー化の流れに応じて、建物の出入口などに視覚障害者誘導用ブロック（いわゆる点字ブロック）を敷設し、点字ブロックの突起に対応する位置に突起に嵌る貫通孔を設けたマットが敷かれることがある（例えば、特許文献１参照）。これによれば、視覚障害者を安全に誘導する機能と靴底に付着した泥や汚れなどを落とす機能を両立させることができる。
【先行技術文献】
【特許文献】
【０００３】
【特許文献１】特開２００１−５４５３３号公報
【発明の概要】
【発明が解決しようとする課題】
【０００４】
ところで、点字ブロックの上に敷いて使用する従来のマットは、マット本体の表面に繊維層が植毛などによって形成された一般的なマットに後から貫通孔を設けたものが多いため、貫通孔の縁周りの繊維の一部がほつれて抜けることで見栄えが悪くなるという問題があった。
【０００５】
そこで、本発明は、視覚障害者誘導用ブロックの上にマットを敷いて使用する形態において、見栄えを向上させることができるマットおよびその製造方法、視覚障害者誘導用ブロック並びにマット構造体を提供することを目的とする。
【課題を解決するための手段】
【０００６】
前記した目的を達成する本発明は、平板状のブロック本体の表面に複数の突起を有する視覚障害者誘導用ブロックの上に敷いて使用され、マット本体の表面に繊維層が形成されたマットであって、前記マット本体は、複数の貫通穴が前記突起と対応する位置に形成され、前記繊維層は、前記貫通穴の縁から所定の範囲で前記マット本体の表面を露出させるように形成されていることを特徴とする。
【０００７】
このように構成されたマットによれば、繊維層が貫通穴の縁から所定の範囲でマット本体の表面を露出させるように形成されているので、貫通穴の縁周りの繊維の一部がほつれて抜けるということがないため、マット自体の見栄えを向上させることができる。なお、前記所定の範囲は、例えば、貫通穴の縁から２〜５ｍｍとすることができる。
【０００８】
前記マットは、前記マット本体の表面の一部が露出するように複数の点状部分または複数の線状部分を開口させた形状に前記繊維層を形成し、前記開口に対応した前記マット本体の露出部分に前記開口の縁から所定の間隔を開けて前記貫通穴を形成することで製造することができる。
【０００９】
また、本発明は、平板状のブロック本体の表面に複数の突起を有し、前記マットを上に敷いて使用する視覚障害者誘導用ブロックであって、前記突起は、前記マットが敷かれた状態において、前記貫通穴に嵌る突起下部と、当該突起下部からオーバーハングし、前記マット本体の露出部分に掛かる突起上部とを有することを特徴とする。
【００１０】
このように構成された視覚障害者誘導用ブロックによれば、突起上部が突起下部からオーバーハングするので、突起上部が貫通穴の縁周りを覆って見栄えを向上させることができる。また、マットに足や物などを引っかけてもマットが突起上部に掛かる（引っかかる）ので、マットのずれや視覚障害者誘導用ブロックからの外れを抑えることができる。
【００１１】
また、本発明は、平板状のブロック本体の表面に複数の突起を有する視覚障害者誘導用ブロックと、当該視覚障害者誘導用ブロックの上に敷かれた前記マットとを備えるマット構造体であって、前記突起は、前記マットが敷かれた状態において、前記貫通穴に嵌る突起下部と、当該突起下部からオーバーハングし、前記マット本体の露出部分に掛かる突起上部とを有し、前記マット本体の露出部分が前記突起上部に引っかかるように構成されたことを特徴とする。
【００１２】
このように構成されたマット構造体によれば、突起上部が突起下部からオーバーハングし、マット本体の露出部分に掛かるので、突起上部が露出部分を覆って見栄えを向上させることができる。また、マットに足や物などを引っかけてもマット本体の露出部分が突起上部に引っかかるので、マットのずれや視覚障害者誘導用ブロックからの外れを抑えることができる。
【発明の効果】
【００１３】
本発明によれば、視覚障害者誘導用ブロックの上にマットを敷いて使用する形態において、見栄えを向上させることができる。
【図面の簡単な説明】
【００１４】
【図１】本発明の実施形態に係るマット構造体の分解斜視図である。
【図２】本発明の実施形態に係るマット構造体の断面図である。
【図３】本発明の実施形態に係るマットの製造工程を説明するための図（ａ）〜（ｄ）である。
【図４】本発明の他の実施形態に係るマット構造体の分解斜視図である。
【図５】本発明の実施形態に係るマットの他の使用例を示す図（ａ）と（ｂ）である。
【発明を実施するための形態】
【００１５】
次に、本発明の実施形態について、適宜図面を参照しながら詳細に説明する。
図１に示すように、マット構造体１は、点字ブロック１０（視覚障害者誘導用ブロック）と、点字ブロック１０の上に敷いて使用されるマット２０とを備えている。
【００１６】
点字ブロック１０は、平板状（正方形状）のブロック本体１１の上面（表面）に、５×５の格子点状に配列された複数の点状の突起１２を有する構成となっている。図２に示すように、突起１２は、突起下部１３と突起上部１４とから構成されている。
【００１７】
突起下部１３は、マット２０が敷かれた状態において、後述する貫通穴２３に嵌る部分であり、円柱状に形成されている。この突起下部１３の高さ（上下方向の寸法）は、マット本体２１の厚さと略同じとなっている。
【００１８】
突起上部１４は、マット２０が敷かれた状態において、マット２０（マット本体２１）の表面から突出し、視覚障害者に対して注意喚起や警告を行う部分であり、外周面が下から上に向かって径が小さくなる略円錐台状に形成されている。
【００１９】
この突起上部１４は、突起下部１３からオーバーハングするように形成されている。具体的には、突起上部１４は、最大直径１４Ｄが突起下部１３の直径１３Ｄよりも大きくなるように形成されている。これにより、突起上部１４は、マット２０が敷かれた状態において、マット２０の後述する環状露出部２６に掛かるように配置される。
【００２０】
マット２０は、マット本体２１と、マット本体２１の表面に形成された繊維層２２とから構成されている。
【００２１】
マット本体２１は、シート形状をなし、ゴムなどの弾性を有する材料から形成されている。このマット本体２１には、マット２０が敷かれる点字ブロック１０の突起１２と対応する位置に、突起１２（突起下部１３）が嵌る複数の貫通穴２３が形成されている。マット本体２１は、縦横の寸法が、マット２０が敷かれる１つまたは複数配列された点字ブロック１０よりも若干大きな寸法（または略同じ寸法）となっており、厚さが、例えば、２〜１０ｍｍとなっている。
【００２２】
繊維層２２は、マット本体２１の上面（表面）に繊維を植毛することで形成されている。この繊維層２２は、貫通穴２３の縁２３Ａから間隔Ｒをあけて（所定の範囲で）マット本体２１の上面（表面）を露出させるように形成されている。言い換えると、繊維層２２は、マット２０が敷かれる点字ブロック１０の突起１２と対応する位置に、マット本体２１の貫通穴２３より大径となる複数（５×５の格子点状）の円形の開口２４（点状部分）を有する形状に形成されている。間隔Ｒは、例えば、貫通穴２３の縁２３Ａから２〜５ｍｍとすることができる。なお、繊維層２２の形成方法は、植毛に限定されず、広く公知の方法を採用することができる。
【００２３】
次に、以上のように構成されるマット２０（マット構造体１）の製造方法について説明する。
まず、図３（ａ）に示すように、ゴムなどの弾性を有する材料から公知の方法によって、シート状のマット本体２１を作成する。
【００２４】
次に、図３（ｂ）に示すように、マット本体２１の表面の一部が露出するように、５×５の格子点状の開口２４を有する形状（図１参照）に繊維層２２を形成する。
【００２５】
そして、開口２４に対応したマット本体２１の露出面２５（露出部分）に、図３（ｃ）に示すように、開口２４の縁２４Ａから間隔Ｒを開けて貫通穴２３を形成することで、マット２０を製造することができる。
【００２６】
また、図３（ｄ）に示すように、建物の出入口などに敷設された点字ブロック１０の上にマット２０を敷くことで、マット構造体１を構成することができる。このとき、環状露出部２６（貫通穴２３の縁２３Ａと開口２４の縁２４Ａとの間のマット本体２１の露出部分）は突起上部１４に引っかけるように嵌め合わされる。
【００２７】
なお、点字ブロック１０の上にマット２０を敷くときには、突起上部１４によって弾性を有するマット本体２１の環状露出部２６が撓むことで貫通穴２３が押し広げられる。そして、突起上部１４が貫通穴２３を通り抜けた後、環状露出部２６の撓みが元に戻ることで突起下部１３が貫通穴２３に嵌るようになっている。
【００２８】
以上によれば、本実施形態において以下のような効果を得ることができる。
マット構造体１のマット２０は、繊維層２２が貫通穴２３の縁２３Ａから間隔Ｒをあけてマット本体２１の表面（環状露出部２６）を露出させるように形成されているので、従来のマットのように貫通穴の縁周りの繊維がほつれて抜けるということがない。そのため、従来のマットと比較して、マット２０自体の見栄えを向上させることができる。
【００２９】
マット構造体１の点字ブロック１０は、突起上部１４が突起下部１３からオーバーハングし、環状露出部２６に掛かるので、突起上部１４で環状露出部２６を覆う（隠す）ことができる。これにより、マット構造体１の見栄えを向上させることができる。また、マット２０に足や物などを引っかけても環状露出部２６（マット本体２１）が突起上部１４に引っかかるので、マット２０のずれや点字ブロック１０からの外れを抑えることができる。
【００３０】
マット２０は、マット本体２１が弾性を有する材料から形成されているので、点字ブロック１０の上に比較的容易に敷くことができるとともに、マット２０の一辺側を持ち上げていくことで点字ブロック１０から比較的容易に取り外すことができる。取り外したマット２０は、従来のマットと同様に、洗浄機などを使用して洗浄することができる。
【００３１】
以上、本発明の実施形態について説明したが、本発明は前記実施形態に限定されるものではない。具体的な構成については、本発明の趣旨を逸脱しない範囲で適宜変更が可能である。
【００３２】
前記実施形態では、点字ブロック１０とマット２０とを組み合わせて使用した例（マット構造体１）について説明したが、本発明はこれに限定されるものではない。例えば、前記実施形態の点字ブロック１０およびマット２０を、それぞれ、従来のマットおよび従来の点字ブロックと組み合わせて使用することができ、以下のような効果を得ることができる。
【００３３】
前記実施形態のマット２０と従来の点字ブロックとを組み合わせて使用した場合、すなわち、従来の点字ブロックの上にマット２０を敷いた場合には、環状露出部２６が外部に露出することになる（視認可能となる）。しかし、環状露出部２６周辺の繊維がほつれて抜けるということはないので、従来のマットを使用する場合と比較して見栄えを向上させることができる。なお、この場合には、前記した間隔Ｒは２ｍｍ以下としてもよい。
【００３４】
また、前記実施形態の点字ブロック１０と従来のマットとを組み合わせて使用した場合、すなわち、点字ブロック１０の上に従来のマットを敷いた場合には、突起上部１４が貫通穴の縁周りを覆う（隠す）ので、見栄えを向上させることができる。また、マットに足や物などを引っかけても、貫通穴の縁周り（マット本体）が突起上部１４に引っかかるので、マットのずれや点字ブロック１０からの外れを抑えることができる。
【００３５】
前記実施形態では、点字ブロック１０の点状の突起１２を、５×５の格子点状に配列した例を示したが、本発明はこれに限定されず、点状の突起の数や配列などは適宜変更することができる。
【００３６】
前記実施形態では、複数の点状の突起１２を有する点字ブロック１０と、突起１２に対応する点状（円形）の貫通穴２３および開口２４を有するマット２０とを備えるマット構造体１を例示したが、本発明はこれに限定されるものではない。例えば、図４に示すマット構造体２のように、複数（図４では４つ）の線状の突起２１２を有する点字ブロック２１０と、突起２１２に対応する線状（矩形）の貫通穴２２３および開口２２４を有するマット２２０とを備える構成としてもよい。
【００３７】
なお、突起２１２は、突起１２と同様に、突起下部２１３と突起上部２１４とから構成されている。突起下部２１３および突起上部２１４は、前記した突起１２の突起下部１３および突起上部１４と略同様に構成されているので説明を省略する。また、貫通穴２２３および開口２２４も、前記したマット２０の貫通穴２３および開口２４と略同様に構成されているので説明を省略する。
【００３８】
前記実施形態では、マット２０を点字ブロック１０の上に敷いて使用する例について説明したが、本発明のマットの使用方法はこれに限定されるものではない。例えば、図５（ａ）および（ｂ）に示すように、貫通穴２３にマット２０の下側から点字鋲固定具４０を挿入し、マット２０の上側から点字鋲固定具４０に点字鋲３０を取り付けて、マット２０に突起を設けて使用してもよい。
【００３９】
ここで、点字鋲３０は、視覚障害者に対して注意喚起や警告を行う部分となる鋲本体部３１と、鋲本体部３１の下面中央から下方へ延びる脚部３２とから構成されている。鋲本体部３１の最大直径は、開口２４の直径と略同じとなっている。
【００４０】
また、点字鋲固定具４０は、略フランジ状に形成され、点字鋲３０の脚部３２が装着される略円筒状の固定部４１と、固定部４１の下部に設けられて抜け止めとして機能する円盤状の鍔部４２とから構成されている。固定部４１は、高さがマット本体２１の厚さと略同じとなっており、直径が貫通穴２３の直径と略同じとなっている。鍔部４２は、直径が貫通穴２３の直径より大きくなっている。
【００４１】
なお、マット２０を図５（ｂ）に示すように使用する場合においては、点字鋲３０が点字鋲固定具４０ごとマット２０から抜け出てしまわないように、鍔部４２の径方向の長さを例えば５ｍｍ以上とするなど十分に大きくしたり、マット本体２１を前記実施形態よりも固い材料から形成したりすることが望ましい。
【符号の説明】
【００４２】
１      マット構造体
１０    点字ブロック
１１    ブロック本体
１２    突起
１３    突起下部
１４    突起上部
２０    マット
２１    マット本体
２２    繊維層
２３    貫通穴
２３Ａ  縁
２４    開口
２４Ａ  縁
２５    露出面
２６    環状露出部
Ｒ      間隔
【図１】
2010172648.tif 000003
【図２】
2010172648.tif 000004
【図３】
2010172648.tif 000005
【図４】
2010172648.tif 000006
【図５】
2010172648.tif 000007